【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
インターネット接続可能な制御端末から送信される電子メールに基づいて録画予約を行うインターネット接続機能が搭載された記録再生装置において、
前記制御端末からの録画予約リスト要求メールの受信時に、乱数を生成して得られる第１の識別コードを記憶部に保存し、その後、既に前記記録再生装置に予約されている録画予約のリストを通知する予約リストメールを生成し、この生成した予約リストメールに前記第１の識別コードを記載して送信し、この送信した予約リストメールに対する回答結果が記載されて前記制御端末から送信される返信メールを受信した際に、前記制御端末からの返信メールに第２の識別コードが記載されているか否かを確認し、前記第２の識別コードが記載されていない場合は、前記回答結果に応じた処理を中止し、前記第２の識別コードが記載されている場合は、記載されている前記第２の識別コードを読み出し、この読み出した第２の識別コードと同一の値の第１の識別コードが、前記記憶部に保存されているか否かを確認し、保存されていない場合は、前記回答結果に応じた処理を中止する制御手段を備えることを特徴とする記録再生装置。
【請求項２】
インターネット接続可能な制御端末から送信される電子メールに基づいて録画予約を行うインターネット接続機能が搭載された記録再生装置で実行される録画予約方法において、
前記制御端末からの録画予約リスト要求メールの受信時に、乱数を生成して得られる第１の識別コードを記憶部に保存し、その後、既に前記記録再生装置に予約されている録画予約のリストを通知する予約リストメールを生成し、この生成した予約リストメールに前記第１の識別コードを記載して送信し、この送信した予約リストメールに対する回答結果が記載されて前記制御端末から送信される返信メールを受信した際に、前記制御端末からの返信メールに第２の識別コードが記載されているか否かを確認し、前記第２の識別コードが記載されていない場合は、前記回答結果に応じた処理を中止し、前記第２の識別コードが記載されている場合は、記載されている前記第２の識別コードを読み出し、この読み出した第２の識別コードと同一の値の第１の識別コードが、前記記憶部に保存されているか否かを確認し、保存されていない場合は、前記回答結果に応じた処理を中止するステップを含むことを特徴とする録画予約方法。
【請求項３】
インターネット接続可能な制御端末から送信される電子メールに基づいて録画予約を行うインターネット接続機能が搭載された記録再生装置において、
前記制御端末からの録画予約メールの受信時に、乱数を生成して得られる第１の識別コードを記憶部に保存し、その後、前記録画予約メールに記載された録画予約情報が示す第１の録画予約の時間帯と、既に前記記録再生装置に予約されている第２の録画予約の時間帯とが重複した場合、前記第１の録画予約と前記第２の録画予約とのどちらを優先するのかを確認するための予約選択要求メールを生成し、この生成した予約選択要求メールに前記第１の識別コードを記載して送信し、この送信した予約選択要求メールに対する回答結果が記載されて前記制御端末から送信される返信メールを受信した際に、前記制御端末からの返信メールに第２の識別コードが記載されているか否かを確認し、前記第２の識別コードが記載されていない場合は、前記回答結果に応じた処理を中止し、前記第２の識別コードが記載されている場合は、記載されている前記第２の識別コードを読み出し、この読み出した第２の識別コードと同一の値の第１の識別コードが、前記記憶部に保存されているか否かを確認し、保存されていない場合は、前記回答結果に応じた処理を中止する制御手段を備えたことを特徴とする記録再生装置。
【請求項４】
インターネット接続可能な制御端末から送信される電子メールに基づいて録画予約を行うインターネット接続機能が搭載された記録再生装置で実行される録画予約方法において、
前記制御端末からの録画予約メールの受信時に、乱数を生成して得られる第１の識別コードを記憶部に保存し、その後、前記録画予約メールに記載された録画予約情報が示す第１の録画予約の時間帯と、既に前記記録再生装置に予約されている第２の録画予約の時間帯とが重複した場合、前記第１の録画予約と前記第２の録画予約とのどちらを優先するのかを確認するための予約選択要求メールを生成し、この生成した予約選択要求メールに前記第１の識別コードを記載して送信し、この送信した予約選択要求メールに対する回答結果が記載されて前記制御端末から送信される返信メールを受信した際に、前記制御端末からの返信メールに第２の識別コードが記載されているか否かを確認し、前記第２の識別コードが記載されていない場合は、前記回答結果に応じた処理を中止し、前記第２の識別コードが記載されている場合は、記載されている前記第２の識別コードを読み出し、この読み出した第２の識別コードと同一の値の第１の識別コードが、前記記憶部に保存されているか否かを確認し、保存されていない場合は、前記回答結果に応じた処理を中止するステップを含むことを特徴とする録画予約方法。
【手続補正２】
【補正対象書類名】明細書
【補正対象項目名】００２４
【補正方法】変更
【補正の内容】
【００２４】
上記課題を解決するために本発明は、下記の装置、方法を提供するものである。
（１）インターネット接続可能な制御端末から送信される電子メールに基づいて録画予約を行うインターネット接続機能が搭載された記録再生装置において、
前記制御端末からの録画予約リスト要求メールの受信時に、乱数を生成して得られる第１の識別コードを記憶部に保存し、その後、既に前記記録再生装置に予約されている録画予約のリストを通知する予約リストメールを生成し、この生成した予約リストメールに前記第１の識別コードを記載して送信し、この送信した予約リストメールに対する回答結果が記載されて前記制御端末から送信される返信メールを受信した際に、前記制御端末からの返信メールに第２の識別コードが記載されているか否かを確認し、前記第２の識別コードが記載されていない場合は、前記回答結果に応じた処理を中止し、前記第２の識別コードが記載されている場合は、記載されている前記第２の識別コードを読み出し、この読み出した第２の識別コードと同一の値の第１の識別コードが、前記記憶部に保存されているか否かを確認し、保存されていない場合は、前記回答結果に応じた処理を中止する制御手段を備えることを特徴とする記録再生装置。
（２）インターネット接続可能な制御端末から送信される電子メールに基づいて録画予約を行うインターネット接続機能が搭載された記録再生装置で実行される録画予約方法において、
前記制御端末からの録画予約リスト要求メールの受信時に、乱数を生成して得られる第１の識別コードを記憶部に保存し、その後、既に前記記録再生装置に予約されている録画予約のリストを通知する予約リストメールを生成し、この生成した予約リストメールに前記第１の識別コードを記載して送信し、この送信した予約リストメールに対する回答結果が記載されて前記制御端末から送信される返信メールを受信した際に、前記制御端末からの返信メールに第２の識別コードが記載されているか否かを確認し、前記第２の識別コードが記載されていない場合は、前記回答結果に応じた処理を中止し、前記第２の識別コードが記載されている場合は、記載されている前記第２の識別コードを読み出し、この読み出した第２の識別コードと同一の値の第１の識別コードが、前記記憶部に保存されているか否かを確認し、保存されていない場合は、前記回答結果に応じた処理を中止するステップを含むことを特徴とする録画予約方法。
（３）インターネット接続可能な制御端末から送信される電子メールに基づいて録画予約を行うインターネット接続機能が搭載された記録再生装置において、
前記制御端末からの録画予約メールの受信時に、乱数を生成して得られる第１の識別コードを記憶部に保存し、その後、前記録画予約メールに記載された録画予約情報が示す第１の録画予約の時間帯と、既に前記記録再生装置に予約されている第２の録画予約の時間帯とが重複した場合、前記第１の録画予約と前記第２の録画予約とのどちらを優先するのかを確認するための予約選択要求メールを生成し、この生成した予約選択要求メールに前記第１の識別コードを記載して送信し、この送信した予約選択要求メールに対する回答結果が記載されて前記制御端末から送信される返信メールを受信した際に、前記制御端末からの返信メールに第２の識別コードが記載されているか否かを確認し、前記第２の識別コードが記載されていない場合は、前記回答結果に応じた処理を中止し、前記第２の識別コードが記載されている場合は、記載されている前記第２の識別コードを読み出し、この読み出した第２の識別コードと同一の値の第１の識別コードが、前記記憶部に保存されているか否かを確認し、保存されていない場合は、前記回答結果に応じた処理を中止する制御手段を備えたことを特徴とする記録再生装置。
（４）インターネット接続可能な制御端末から送信される電子メールに基づいて録画予約を行うインターネット接続機能が搭載された記録再生装置で実行される録画予約方法において、
前記制御端末からの録画予約メールの受信時に、乱数を生成して得られる第１の識別コードを記憶部に保存し、その後、前記録画予約メールに記載された録画予約情報が示す第１の録画予約の時間帯と、既に前記記録再生装置に予約されている第２の録画予約の時間帯とが重複した場合、前記第１の録画予約と前記第２の録画予約とのどちらを優先するのかを確認するための予約選択要求メールを生成し、この生成した予約選択要求メールに前記第１の識別コードを記載して送信し、この送信した予約選択要求メールに対する回答結果が記載されて前記制御端末から送信される返信メールを受信した際に、前記制御端末からの返信メールに第２の識別コードが記載されているか否かを確認し、前記第２の識別コードが記載されていない場合は、前記回答結果に応じた処理を中止し、前記第２の識別コードが記載されている場合は、記載されている前記第２の識別コードを読み出し、この読み出した第２の識別コードと同一の値の第１の識別コードが、前記記憶部に保存されているか否かを確認し、保存されていない場合は、前記回答結果に応じた処理を中止するステップを含むことを特徴とする録画予約方法。
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】